(57)【要約】【課題】 伝送ユニットを具えたストラップ構造を提供する。【解決手段】ケース、フック部品、伝送ユニットを含む。該ケースは中空の半球体を対応して組み合わせられ、一方の半球体の頂点部には穿孔を設置し、該フック部品を取り付け、反対の半球体の底部には少なくとも１個の穿孔を設置する。該伝送ユニットの両端のジョイントは該ケース内部に収納され、しかも、該伝送ユニットのケーブルは該反対の半球体上の穿孔を通す。こうして、該伝送ユニットをストラップ内に収納し、使用者に携帯の利便を提供することができる。【選択図】  図１
0003127890.tif 000002
【実用新案登録請求の範囲】
【請求項１】
ケース、フック部品、伝送ユニットを含み、
該ケースは中空状を呈し、該ケースは上ケースと下ケースが対応して組み合わせられ、
該フック部品は該上ケースに接続し、
該伝送ユニットは該ケース内部に収納され、該伝送ユニットは第一ジョイント、第二ジョ
イントを具え、該第一ジョイントと該第二ジョイントはケーブルに接続されていることを
特徴とする、伝送ユニットを具えたストラップ構造。
【請求項２】
前記上ケースと該下ケースは開口端を向き合わせて回転接続し組み合わせられることを特
徴とする請求項１記載の伝送ユニットを具えたストラップ構造。
【請求項３】
前記上ケースの周縁上にはフックリングを設置し、該フック部品は該フックリングに取り
付けることを特徴とする請求項１記載の伝送ユニットを具えたストラップ構造。
【請求項４】
前記上ケースの周縁上には穿孔を設置し、しかも、該フック部品は該穿孔上に取り付ける
ことを特徴とする請求項１又は２記載の伝送ユニットを具えたストラップ構造。
【請求項５】
前記下ケース底部には少なくとも１個の穿孔を設置し、該伝送ユニットのケーブルは該穿
孔内を通し、しかも、該ケース外に露出することを特徴とする請求項１又は２記載の伝送
ユニットを具えたストラップ構造。
【請求項６】
前記下ケース上には開口と該開口に対応する蓋を設置することを特徴とする請求項１又は
２記載の伝送ユニットを具えたストラップ構造。
【請求項７】
前記蓋は該下ケース上に可動接続することを特徴とする請求項６記載の伝送ユニットを具
えたストラップ構造。
【請求項８】
前記蓋は該下ケースと一体物を構成することを特徴とする請求項６記載の伝送ユニットを
具えたストラップ構造。
【請求項９】
前記蓋はさらに嵌合板を具えることを特徴とする請求項６記載の伝送ユニットを具えたス
トラップ構造。
【請求項１０】
前記フック部品は紐であることを特徴とする請求項１記載の伝送ユニットを具えたストラ
ップ構造。
【考案の詳細な説明】
【技術分野】
【０００１】
本考案は、一種のストラップ構造に関する。特に、一種の収納機能を具えたストラップ
構造に係る。
【背景技術】
【０００２】
科学技術が日進月歩で発展する今日、テクノロジーを使用した新しい製品が次々に登場
している。特にノートPC、PDA、携帯電話端末などの電子製品は、現代人の生活になくて
はならないものとなっている。電子製品の多様化に対して、様々な電子製品間でデータを
どのようにして伝送するかは現在、非常に重視されている。
【０００３】
現在、電子製品間のデータ伝送は、大部分は市場で制定された共通の伝送規格により、
異なる電子製品間のデータ交換と伝送を行っている。これら伝送規格にはユニバーサルシ
リアルバス(USB)、ストレージデバイス伝送インターフェース(USB OTG)、IEEE1394などが
ある。異なる電子製品は異なる伝送インターフェース又は規格を持つが、基本的には異な
るタイプのジョイント（コネクタ）を具える伝送ユニットを経由し、両電子製品間を繋ぐ
ブリッジとする。
【０００４】
通常、電子製品を売買するとき、その他の電子製品と接続するための伝送線（ケーブル
）は製品内部に付加されている。しかし、使用者はこれら伝送線の用途を直接意識するこ
とはなく、携帯する物品をシンプルにするため、これら伝送線はしばしば捨て置かれてし
まう。しかし使用の必要が生じた時には、しばしば見つからず、迅速さが求められる現在
においては、多くの不便を引起している。
【０００５】
また、多数の伝送線は保護器具を持たずに設置されるため、携帯に非常に不便で、しか
も伝送線を整理する時にも非常に面倒である。さらには、伝送線のジョイントは外界のほ
こり又は液体の侵入を許してしまい易く、該伝送線のジョイント機能が損壊されてしまう
。こうして、伝送機能に直接的な影響を及ぼすため、伝送線の携帯と保護における欠点を
いかにして解決するかは、業界で解決が待たれている問題点である（特許文献１、２）。
【０００６】
【特許文献１】特開平１１−３３１３３５号公報
【特許文献２】特開２００６−１７３３０８号公報
【考案の開示】
【考案が解決しようとする課題】
【０００７】
伝送線の保管、保護のための公知構造には以下の欠点があった。すなわち、通常、使用
者は携帯の便を考慮し電子製品の伝送線を携帯することは少ないため、使用の必要が生じ
た時に対応が遅れるという状況を招いている。また、伝送線は保護器具を持たないため、
ジョイントに埃や液体が影響を及ぼし、その機能が損壊されてしまう虞れがある。本考案
は、上記公知構造の問題点を解決した伝送ユニットを具えたストラップ構造を提供するも
のである。
【課題を解決するための手段】
【０００８】
上記課題を解決するため、本考案は、下記の伝送ユニットを具えたストラップ構造を提
供する。それは、主に、伝送ユニットを具えたストラップ構造を提供し、伝送ジョイント
を具えた伝送ユニットをストラップ内部に収納し、携帯の利便性を提供する他、該伝送ユ
ニットのジョイントを保護することもできる。
【０００９】
本考案は、ケース、フック部品、伝送ユニットを含み、該ケースは中空の半球体を対応
して組み合わせられ、一方の半球体の頂点部には穿孔を設置し、該フック部品を取り付け
、反対の半球体の底部には少なくとも１個の穿孔を設置し、該伝送ユニットの両端のジョ
イントは該ケース内部に収納され、しかも、該伝送ユニットのケーブルは該反対の半球体
上の穿孔を通し、こうして、該伝送ユニットをストラップ内に収納し、使用者に携帯の利
便を提供することができることを特徴とする伝送ユニットを具えたストラップ構造である
。
【００１０】
すなわち、本考案は、（１）ケース、フック部品、伝送ユニットを含み、該ケースは中
空状を呈し、該ケースは上ケースと下ケースが対応して組み合わせられ、該フック部品は
該上ケースに接続し、該伝送ユニットは該ケース内部に収納され、該伝送ユニットは第一
ジョイント、第二ジョイントを具え、該第一ジョイントと該第二ジョイントはケーブルに
接続されていることを特徴とする、伝送ユニットを具えたストラップ構造、である。
【００１１】
また、本考案は、（２）前記上ケースと該下ケースは開口端を向き合わせて回転接続し
組み合わせられることを特徴とする上記（１）の伝送ユニットを具えたストラップ構造、
である。
【００１２】
また、本考案は、（３）前記上ケースの周縁上にはフックリングを設置し、該フック部
品は該フックリングに取り付けることを特徴とする上記（１）の伝送ユニットを具えたス
トラップ構造、である。
【００１３】
また、本考案は、（４）前記上ケースの周縁上には穿孔を設置し、しかも、該フック部
品は該穿孔上に取り付けることを特徴とする上記（１）又は（２）の伝送ユニットを具え
たストラップ構造、である。
【００１４】
また、本考案は、（５）前記下ケース底部には少なくとも１個の穿孔を設置し、該伝送
ユニットのケーブルは該穿孔内を通し、しかも、該ケース外に露出することを特徴とする
上記（１）又は（２）の伝送ユニットを具えたストラップ構造、である。
【００１５】
また、本考案は、（６）前記下ケース上には開口と該開口に対応する蓋を設置すること
を特徴とする上記（１）又は（２）の伝送ユニットを具えたストラップ構造、である。
【００１６】
また、本考案は、（７）前記蓋は該下ケース上に可動接続することを特徴とする上記（
６）の伝送ユニットを具えたストラップ構造、である。
【００１７】
また、本考案は、（８）前記蓋は該下ケースと一体物を構成することを特徴とする上記
（６）の伝送ユニットを具えたストラップ構造、である。
【００１８】
また、本考案は、（９）前記蓋はさらに嵌合板を具えることを特徴とする上記（６）の
伝送ユニットを具えたストラップ構造、である。
【００１９】
また、本考案は、（１０）前記フック部品は紐であることを特徴とする上記（１）の伝
送ユニットを具えたストラップ構造、である。
【考案の効果】
【００２０】
上記のように、本考案は、伝送ジョイントを具えた伝送ユニットをストラップ内部に収
納することにより、携帯の利便性を提供し、公知構造の使用に当たり伝送ユニットが見つ
からないという欠点を解決することができ、さらに、伝送ユニットのジョイントを保護し
、伝送機能を保持することもできる。
【考案を実施するための最良の形態】
【００２１】
図１、２に示すように、本考案のストラップ構造は、ケース１、伝送ユニット２を含む
。該ケース１は中空状を呈し、しかも、該ケース１は同一の上ケース１１と下ケース１２
が対応して組み合わせられる。本実施例においては、該上ケース１１と該下ケース１２は
開口端部にネジ溝とネジ山があり、開口端を向き合わせて回転接続される。両者の接続に
は他のカップリング手段を用いてもよい。該上ケース１１の頂点部には穿孔１１１を具え
、フック部品３の取り付けに用いる(図２参照)。フック部品３は本実施例中では紐である
。
【００２２】
該下ケース１２の底部にも穿孔１２１を設置し、本実施例中では穿孔１２１は２個であ
る。該下ケース１２の片側には開口１２２を設置し、該開口１２２に対応し蓋１３を設置
する。該蓋１３は該下ケース１２上に可動接続し、しかも、該蓋１３上には嵌合板１３１
を具え、該下ケース１２の板面に嵌設し、該蓋１３の位置を固定する。さらに、該蓋１３
は該下ケース１２と一体物を構成する。
【００２３】
該伝送ユニット２は両端に第一ジョイント２１、第二ジョイント２２を具える。該第一
ジョイント２１と該第二ジョイント２２は同一型式のジョイント又は異なる型式のジョイ
ントである。本実施例中では、第一ジョイント２１はUSB2.0型ジョイントで、第二ジョイ
ント２２はUSB1.0型ジョイントであり、両端のジョイント２１及び２２は１本のケーブル
２３に接続する。該両端のジョイント２１及び２２は該ケース１の内部に収納され、該ケ
ーブル２３は該下ケース１２の底部の穿孔１２１中に設置される。これにより、該ケーブ
ル２３の一部は該ケース１の外部に露出し、実質的に引っ掛けることができるリング状物
体を形成し、こうして、図２に示すように、本考案の組合せを完成する。
【００２４】
次に、図３、４に示すように、本考案のストラップは、該ケース１のフック部品３に取
り付けることによりフック作用を具え、バッグ、又は腕など該フック部品３を取り付ける
ところに掛けられる。本実施例中では図４に示すように、携帯電話端末取り付けリング４
に掛けられる。
【００２５】
続いて、図５に示すように、使用者が該ケース１の内部に収納される伝送ユニット２を
使用する時には、該下ケース１２に嵌めた蓋１３を開けて、該伝送ユニット２の両端のジ
ョイント２１と２２を引き出し、コンピュータ、PDAなどの電子製品に直接接続し、デー
タの伝送を行う。本実施例中では該ケース１を中央から半球体１１、１２に分解し、該伝
送ユニット２を該下ケース１２内から直接取り出し、電子製品に接続することもできる(
図６参照)。
【００２６】
上記実施例では、上ケース１１の頂点部に設けた穿孔１１１により、該フック部品３は
取り付けられるが、さらに、図７に示す別種の実施例では、該上ケース１１の頂点部にフ
ックリング１１２を設置し、該フック部品３を取り付けることができる。 上記は、本考
案のベストな実施例のみであり、本考案の範囲を制限するものではない。本考案の明細書
及び図面内容を簡易に修正し、同じ効果をもたらす仕組みの変化はいずれも本考案の範囲
に含まれる。
【図面の簡単な説明】
【００２７】
【図１】本考案の立体分解指示図である。
【図２】本考案の立体組合せ図である。
【図３】本考案の構造断面図である。
【図４】本考案の操作指示図一である。
【図５】本考案の操作指示図二である。
【図６】本考案の操作指示図三である。
【図７】本考案別種の実施例の構造指示図である。
【符号の説明】
【００２８】
１  ケース
１１  上ケース
１１１  穿孔
１１２  フックリング
１２  下ケース
１２１  穿孔
１２２  開口
１３  蓋
１４  開口
１３１  嵌合板
２  伝送ユニット
２１  第一ジョイント
２２  第二ジョイント
２３  ケーブル
３  フック部品
４  携帯電話端末取り付けリング
【図１】
0003127890.tif 000003
【図２】
0003127890.tif 000004
【図３】
0003127890.tif 000005
【図４】
0003127890.tif 000006
【図５】
0003127890.tif 000007
【図６】
0003127890.tif 000008
【図７】
0003127890.tif 000009